(57)【要約】【課題】ドライバーチャックを提供する。【解決手段】本発明のドライバーチャックの特徴は、ドライバーチャックのドライバーヘッド接続端の挿入孔内に１組の弾性アセンブリを増設する構造であり、弾性アセンブリは１つの押し受け台と、１つの弾性体と、１つの位置限定部とを含み、位置限定部は挿入孔内に固定され、弾性体は押し受け台と位置限定部との間に設置され、押し受け台を挿入孔外方向に押し付け、押し受け台は弾性体により死点位置まで外側に押し付けられる状態の時、周壁はドライバーヘッド接続端に設置された位置決めボールを外側方向に押し、且つ、押し受け台は内部にドライバーヘッドを挿入できる孔槽を有る。上記構造により片手操作のみでドライバーヘッドを迅速に装着し、或いは、取り外すことができる。【選択図】図3
2007098493.tif 000002
【特許請求の範囲】
【請求項１】
チャック本体と、
２つの位置決めボールと、
後押式固定環と、
弾性アセンブリと、
を含み、
前記チャック本体は一つの端に接続端を有し、他の端にドライバーヘッド接続端を有し、当該接続端は電動式或いは気動式工具の所定領域に設置され、当該ドライバーヘッド接続端はドライバーヘッドを挿入できる挿入孔を有し、当該挿入孔の孔壁の所定位置に２つのボール収納孔を有し、
前記２つの位置決めボールは、前記ボール収納孔内に可動状態で設置され、
前記後押式固定環は、前記ドライバーヘッド接続端の外周に係合され、内側に凸縁部と退避空間とを有し、当該凸縁部は前記位置決めボールを内側方向に押さえ付けることができ、当該退避空間は前記位置決めボールが外方向へ移動した時、位置決めボールを収納することができ、前記チャック本体と前記後押式固定環との間に弾性体が設置され、当該弾性体は前記後押式固定環を前記ドライバーヘッド接続端の末端方向に死点位置まで押圧することができ、
前記弾性アセンブリは、前記挿入孔内に設置され、押し受け台と、他の弾性体と、位置限定部とを含み、当該位置限定部は前記挿入孔内の所定位置に設置され、当該他の弾性体は当該押し受け台と当該位置限定部との間に設置され、当該押し受け台を前記挿入孔外方向に押し付け、当該押し受け台は、当該他の弾性体により死点位置まで外側に押し付けられる状態の時に、周壁は前記ドライバーヘッド接続端に設置された前記位置決めボールを外側方向に押し、内部に前記ドライバーヘッドを挿入できる孔槽を有する、
ドライバーチャック。
【請求項２】
前記孔槽の内壁に更に前記ドライバーヘッドの錐状端部と係合できる縮径孔を有する、
請求項１に記載のドライバーチャック。
【請求項３】
前記ドライバーヘッド接続端の末端付近に環状ピンが係合され、前記後押式固定環の移動を制限することができる、
請求項１に記載のドライバーチャック。
【請求項４】
前記位置限定部は、ねじ山を具備し、前記接続端は内部にねじみぞを具備し、当該ねじみぞと、当該ねじ山とをねじ結合することができる、
請求項１に記載のドライバーチャック。
【請求項５】
チャック本体と、
２つの位置決めボールと、
後押式固定環と、
弾性アセンブリと、
を含み、
前記チャック本体は、一つの端に接続端を有し、他の端にドライバーヘッド接続端を有し、当該接続端は電動式或いは気動式工具の所定領域に設置され、当該ドライバーヘッド接続端はドライバーヘッドを挿入できる挿入孔を有し、当該挿入孔の孔壁の所定位置に２つのボール収納孔を有し、
２つの位置決めボールは、前記ボール収納孔内に可動状態で設置され、前押式固定環は前記ドライバーヘッド接続端の外周に係合され、当該前押式固定環は内側に凸縁部と退避空間とを有し、当該凸縁部は前記位置決めボールを内側方向に押さえ付けることができ、当該退避空間は前記位置決めボールが外方向へ移動した時、前記位置決めボールを収納することができ、前記チャック本体と当該前押式固定環との間に弾性体が設置され、当該弾性体は当該前押式固定環を前記ドライバーヘッド接続端の末端方向に死点位置まで押圧することができ、
弾性アセンブリは、前記挿入孔内に設置され、押し受け台と、他の弾性体と、位置限定部とを含み、前記位置限定部は前記挿入孔内の所定位置に設置され、当該他の弾性体は当該押し受け台と当該位置限定部との間に設置され、当該押し受け台を前記挿入孔外方向に押し付け、当該押し受け台は、当該他の弾性体により死点位置まで外側に押し付けられる状態の時に、周壁は前記ドライバーヘッド接続端に設置された前記位置決めボールを外側方向に押し、内部に前記ドライバーヘッドを挿入できる孔槽を有する、
ドライバーチャック。
【請求項６】
前記孔槽の内壁に更に前記ドライバーヘッドの錐状端部と係合できる縮径孔を有する、
請求項５に記載のドライバーチャック。
【請求項７】
前記位置限定部は、ねじ山を具備し、前記接続端は、内部にねじみぞを具備し、当該ねじみぞと、当該ねじ山とをねじ結合することができる、
請求項５に記載のドライバーチャック。
【発明の詳細な説明】
【技術分野】
【０００１】
本発明は、ドライバーチャックに関し、特に、片手操作のみでドライバーヘッドを迅速に装着し、或いは、取り外すことができるドライバーチャックに関する。
【背景技術】
【０００２】
チャックはドライバーヘッドを工具本体に係合させる為の部分であり、従来のチャックは図１が示す如く、端管部11外周に１つの固定環12が係合され、ばねにより固定環12は弾性復元移動でき、固定環12は内側に凸縁13を有し、端管部11側壁に縮径孔14を有することにより、位置決めボール15を収納することができ、従来のチャックによるドライバーヘッドの装着或いは分離構造は、固定環12内側の凸縁13が定位ボール15を縮径孔14内側方向に圧迫し、ドライバーヘッド20の凹縁21と位置決めボール15とが係合することにより、ドライバーヘッド20の装着を達成することができ、反対に、固定環12が使用者により移動させられることにより、固定環12内側の凸縁13と位置決めボール15とが分離し、位置決めボール15が縮径孔14内に移動できる釈放状態となり、ドライバーヘッド20をチャックより分離することができる構造であるが、上記従来の構造型態は実際の使用上、下記問題があり、改良が待たれている。
【０００３】
使用者がチャックにドライバーヘッド20を装着する時、図２が示す如く、片手でドライバーヘッド20を持ち、もう一方の手で固定環12を移動させることにより、ドライバーヘッド20を装着することができ、逆にドライバーヘッド20を取り外す時、上記動作と同じく、片手でドライバーヘッド20を持ち、もう一方の手で固定環12を移動させることにより、ドライバーヘッド20を取り外すことができる構造であるが、上記構造ではドライバーヘッド20の装着、或いは、分離に両手を使わければならないので、時間がかかり、効率が悪く、操作が不便である欠点がある。
【発明の開示】
【発明が解決しようとする課題】
【０００４】
本発明の目的は、片手操作のみでドライバーヘッドを迅速に装着し、或いは、取り外すことができるドライバーチャックを提供することにある。
【課題を解決するための手段】
【０００５】
本発明の特徴は、ドライバーチャックのドライバーヘッド接続端32の挿入孔33内に１組の弾性アセンブリ70を増設する構造であり、弾性アセンブリ70は１つの押し受け台71と、１つの弾性体72と、１つの位置限定部73とを含み、位置限定部73は挿入孔33内に固定され、弾性体72は押し受け台71と位置限定部73との間に設置され、押し受け台71を挿入孔33外方向に押し付け、押し受け台71は弾性体72により死点位置まで外側に押し付けられる時、周壁710はドライバーヘッド接続端32に設置された位置決めボール50を外側方向に押し、且つ、押し受け台71は内部にドライバーヘッド40を挿入できる孔槽711を有する。
【０００６】
上記構造によりドライバーヘッド40をチャック本体30の挿入孔33内に挿入設置する時、片手でドライバーヘッド40を直接挿入孔33内に挿入だけでよく、この時、内側に押された押し受け台71は内側に移動し、且つ、弾性体72を押圧する為、弾性体72は反作用力を蓄積した状態となり、同時に位置決めボール50は後押式固定環60内側の凸縁部61により内方向に圧迫され後押式固定環60は弾性体63により前方向に押圧されている為、ドライバーヘッド40の凹縁41と位置決めボール50とが係合することにより、ドライバーヘッド40を固定することができ、上記構造により、もう一方の手で後押式固定環60を移動させる動作を行わずにドライバーヘッド40をチャック本体30に装着することができる。
【０００７】
ドライバーヘッド40を取り外す時、片手で後押式固定環60を後方に動かすだけでよく、これにより位置決めボール50は後押式固定環60の凸縁部61から押圧を受けることがなくなるとともに、退避空間62内に移動できる釈放状態となり、上記構造により使用者が後押式固定環60を後方に動かす時、弾性体72の蓄積された反作用力によりドライバーヘッド40は自動的に挿入孔33から跳出する構造により片手の操作のみでドライバーヘッド40を取り外すことができる。
【発明の効果】
【０００８】
本発明は、片手操作のみでドライバーヘッド40を装着し、或いは、取り外すことができるドライバーチャックを提供する。
【発明を実施するための最良の形態】
【０００９】
次に、添付した図面を参照しながら、本発明の好適な実施形態を詳細に説明する。
【００１０】
図３〜図５は、本発明のドライバーチャックの好適な実施例であり、主に１つのチャック本体30と、２つの位置決めボール50と、１つの後押式固定環60と、１つの弾性アセンブリ70とを含む。
【００１１】
チャック本体30は一つの端に接続端31を有し、もう一つの端にドライバーヘッド接続端32を有し、接続端31は電動式或いは気動式工具の所定の領域に設置でき、ドライバーヘッド接続端32はドライバーヘッド40を挿入できる挿入孔33を有し、挿入孔33の孔壁所定の位置に２つのボール収納孔34を有する。
【００１２】
２つの位置決めボール50はボール収納孔34内に可動状態で設置され、後押式固定環60はドライバーヘッド接続端32の外周に係合される。
【００１３】
後押式固定環60は内側に凸縁部61と退避空間62とを有し、凸縁部61は位置決めボール50を内側方向に押さえ付けることができ、退避空間62は位置決めボール50が外方向へ移動した時、位置決めボール50を収納することができ、チャック本体30と後押式固定環60との間に１つの弾性体63が設置され、弾性体63（本実施では１つのばね）は後押式固定環60をドライバーヘッド接続端32の末端方向に死点位置まで押圧することができ、本実施例ではドライバーヘッド接続端32の末端付近に１つの環状ピン321が係合されることにより、後押式固定環60の移動を制限することができる。
【００１４】
弾性アセンブリ70は挿入孔33内に設置され、主に１つの押し受け台71と、１つの弾性体72と、１つの位置限定部73とを含み、位置限定部73はねじ山731と嵌入槽732とを具備し、接続端31内にねじみぞ331を具備することにより、接続端31のねじみぞ331と位置限定部73のねじ山731とがねじ結合することができ、弾性体72は本実施例では１つのばねであり、弾性体72は押し受け台71と位置限定部73との間に設置され、押し受け台71を挿入孔33外方向に押し付け、押し受け台71は弾性体72により死点位置まで外側に押し付けられる状態の時、周壁710はドライバーヘッド接続端32に設置された位置決めボール50を外側方向に押し、押し受け台71は内部にドライバーヘッド40を挿入できる孔槽711を有し、又、押し受け台71中段と挿入孔33内壁はそれぞれ互いに係止できる肩部713、或いは、ストッパー332を有することにより、押し受け台71の前方向移動を制限することができ、又、孔槽711内壁に更に１つの縮径孔712を有し、ドライバーヘッド40の錐状端部と係合できる構造によりドライバーヘッド40を内側に押した時、押し受け台71は内側方向に移動する構造である。
【００１５】
上記構造により本発明の使用状況は以下の如くであり、図６、７が示す如く、ドライバーヘッド40をチャック本体30の挿入孔33内に挿入設置する時、片手でドライバーヘッド40を直接挿入孔33内に挿入だけでよく、この時、内側に押された押し受け台71は内側に移動し、且つ、弾性体72を押圧する為、弾性体72は反作用力を蓄積した状態となり、同時に位置決めボール50は後押式固定環60内側の凸縁部61により圧迫され後押式固定環60は弾性体63により前方向に押圧されている為、ドライバーヘッド40の凹縁41と位置決めボール50とが係合することにより、ドライバーヘッド40を位置決め固定することができ、もう一方の手で後押式固定環60を移動させる動作を行なわずにドライバーヘッド40をチャック本体30に装着することができる。
【００１６】
図８が示す如く、ドライバーヘッド40を取り外す時、片手で後押式固定環60を後方に動かすだけでよく、これにより位置決めボール50は後押式固定環60の凸縁部61から押圧を受けることがなくなるとともに、退避空間62内に移動できる釈放状態となり、上記構造により使用者が後押式固定環60を後方に動かす時、弾性体72の蓄積された反作用力によりドライバーヘッド40は自動的に挿入孔33から跳出する構造により片手操作のみでドライバーヘッド40を取り外すことができる。
【００１７】
図９〜図１１は本発明のドライバーチャックのもう１つの実施例であり、前記実施例と異なる点は、前押式固定環60bと逆方向に移動できるように設置した構造であり、図１２が示す如く、ドライバーヘッド40を取り外す時、片手で前押式固定環60bを前方に動かすだけでよく、これにより位置決めボール50は前押式固定環60bの凸縁部61bから押圧を受けることがなくなるとともに、退避空間62b内に移動できる釈放状態となり、上記構造により使用者が前式固定環60bを前方に動かす時、弾性体72の蓄積された反作用力によりドライバーヘッド40は自動的に挿入孔33から跳出する構造により片手の操作のみでドライバーヘッド40を取り外すことができる。
【００１８】
以上、本発明の好ましい実施形態を説明したが、本発明はこの実施形態に限定されず、本発明の趣旨を離脱しない限り、本発明に対するあらゆる変更は本発明の範囲に属する。
【図面の簡単な説明】
【００１９】
【図１】従来のチャックの断面図である。
【図２】従来のチャックにドライバーヘッドを装着する動作を示す図である。
【図３】本発明の実施例に係るチャックの分解斜視図である。
【図４】本発明の実施例に係るチャックの組み合わせ斜視図である。
【図５】本発明の実施例に係るドライバーヘッドを挿入していない状態を示す図である。
【図６】本発明の実施例に係るドライバーヘッドを挿入する途中の状態を示す図である。
【図７】本発明の実施例に係るドライバーヘッドを装着した後の位置決め状態を示す図である。
【図８】本発明の実施例において、後押式固定環を後方に動かすことにより、ドライバーヘッドを取り外すことができることを示す図である。
【図９】本発明の他の実施例に係るチャックの分解斜視図である。
【図１０】本発明の他の実施例に係るチャックの平面図である。
【図１１】図１０のA―A断面図である。
【図１２】本発明の他の実施例において、前押式固定環を前方に動かすことにより、ドライバーヘッドを取り外すことができることを示す図である。
【符号の説明】
【００２０】
10  チャック
11  端管部
12  固定環
13  凸縁
14  縮径孔
15  位置決めボール
20  トライバーヘッド
21  凹縁
30  チャック本体
31  接続端
32  ドライバーヘッド接続端
321  環状ピン
33  挿入孔
331  ねじみぞ
332  ストッパー
34  ボール収納孔
40  ライバーヘッド
41  凹縁
50  位置決めボール
60  後押式固定環
60b  前押式固定環
61、61b  凸縁部
62、62b  退避空間
63、63b  弾性体
70  弾性アセンブリ
71  押し受け台
710  周壁
711  孔槽
712  縮径孔
713  肩部
72  弾性体
73  位置限定部
731  ねじ山
732  嵌入槽
【図１】
2007098493.tif 000003
【図２】
2007098493.tif 000004
【図３】
2007098493.tif 000005
【図４】
2007098493.tif 000006
【図５】
2007098493.tif 000007
【図６】
2007098493.tif 000008
【図７】
2007098493.tif 000009
【図８】
2007098493.tif 000010
【図９】
2007098493.tif 000011
【図１０】
2007098493.tif 000012
【図１１】
2007098493.tif 000013
【図１２】
2007098493.tif 000014